(57)【要約】【課題】小型化が可能であるとともに、測定のダイナミックレンジが広く、且つ質量分解能に優れる飛行時間型質量分析装置を提供すること。【解決手段】飛行時間型質量分析装置１００は、試料に照射するフェムト秒レーザー光又はピコ秒レーザー光を発光する発光部１０と、試料をフェムト秒レーザー光又はピコ秒レーザー光でイオン化するイオン化領域と、イオン化領域で発生したイオンが飛行する飛行領域と、飛行領域を飛行したイオンを検出する検出部２８と、フェムト秒レーザー光又はピコ秒レーザー光と検出部２８で検出されたイオンの検出信号との時間間隔を計測する時間相関単一イオン計数部３３を備える。飛行領域の上流側に設けられるリペラー電極と検出部２８との間の距離は２０ｃｍ以下である。【選択図】図１
2019096480.tif 000002
【特許請求の範囲】
【請求項１】
フェムト秒レーザー光又はピコ秒レーザー光を発光する発光部と、
前記フェムト秒レーザー光又はピコ秒レーザー光で測定対象成分をイオン化するイオン化領域と、
前記イオン化領域で発生したイオンが飛行する飛行領域と、
前記飛行領域を飛行した前記イオンを検出する検出部と、
前記フェムト秒レーザー光又はピコ秒レーザー光と前記検出部で検出された前記イオンの検出信号との時間間隔を計測する時間相関単一イオン計数部と、を備え、
前記飛行領域の上流側に設けられるリペラー電極と前記検出部との間の距離が２０ｃｍ以下である、飛行時間型質量分析装置。
【請求項２】
前記発光部としてファイバーレーザーを用いる、請求項１に記載の飛行時間型質量分析装置。
【請求項３】
前記飛行領域における前記イオンの飛行時間が３０μｓ以下である、請求項１又は２に記載の飛行時間型質量分析装置。
【請求項４】
前記フェムト秒レーザー光又はピコ秒レーザー光の１パルス当たりのエネルギーが１００μＪ以下である、請求項１〜３のいずれか一項に記載の飛行時間型質量分析装置。
【請求項５】
前記イオン化領域に測定対象成分を導入する部分にキャピラリーを用いる、請求項１〜４のいずれか一項に記載の飛行時間型質量分析装置。
【請求項６】
前記イオン化領域の上流側にガスクロマトグラフを備える、請求項１〜５のいずれか一項に記載の飛行時間型質量分析装置。
【請求項７】
飛行時間型質量分析装置を用いる質量分析方法であって、
測定対象成分にフェムト秒レーザー光又はピコ秒レーザー光を照射して測定対象成分をイオン化する工程と、
飛行領域を飛行したイオンを検出部で検出する工程と、
時間相関単一イオン計数法を用い、前記フェムト秒レーザー光又はピコ秒レーザー光と前記検出部で検出された前記イオンの検出信号との時間間隔を計測する工程と、を有し、
前記飛行領域の上流側に設けられるリペラー電極と前記検出部との間の距離が２０ｃｍ以下である、質量分析方法。
【発明の詳細な説明】
【技術分野】
【０００１】
本開示は、飛行時間型質量分析装置及び質量分析方法に関する。
【背景技術】
【０００２】
飛行時間型質量分析装置は、高感度であるため、有機化合物の分析に広く利用されている。濃度が極めて低いダイオキシンのような毒物、及びニトロ芳香族化合物のような発がん物質を、サブフェムトグラムの精度で分析するためには、十分に高い感度を有することが望まれる。このような高感度化を図る方法として、フェムト秒レーザー光を用いた飛行時間型質量分析装置が提案されている（例えば、非特許文献１）。
【先行技術文献】
【非特許文献】
【０００３】
【非特許文献１】“Gaschromatography/multiphoton ionization/time-of-flight mass spectrometry using afemtosecond laser”, Anal Bioanal Chem, (2013) 405:6907−6912
【発明の概要】
【発明が解決しようとする課題】
【０００４】
微量成分の分析感度を向上するためには、測定試料に含まれるなるべく多くの分子にレーザー光を照射することが好ましい。このような観点から、高い繰り返し速度のレーザーを用いることが有効であると考えられる。しかしながら、繰り返し速度が高くなると、光パルス毎のイオン信号が重なって観測されるため、イオンの飛行時間を短くする必要がある。また、小型化されれば設置スペースの低減及び利便性が向上すると考えられるものの、飛行領域が短くなるとイオンの飛行時間が短くなる。ここで、イオンの飛行時間が短くなると、質量分解能が低くなることが懸念される。
【０００５】
そこで、本開示では、一つの側面において、小型化が可能であるとともに、測定のダイナミックレンジが広く、且つ質量分解能に優れる飛行時間型質量分析装置を提供することを目的とする。また、別の側面において、測定のダイナミックレンジが広く、且つ質量分解能に優れる質量分析方法を提供することを目的とする。
【課題を解決するための手段】
【０００６】
本発明は、一つの側面において、フェムト秒レーザー光又はピコ秒レーザー光を発光する発光部と、フェムト秒レーザー光又はピコ秒レーザー光で測定対象成分をイオン化するイオン化領域と、イオン化領域で発生したイオンが飛行する飛行領域と、飛行領域を飛行したイオンを検出する検出部と、フェムト秒レーザー光又はピコ秒レーザー光と検出部で検出されたイオンの検出信号との時間間隔を計測する時間相関単一イオン計数部と、を備え、飛行領域の上流側に設けられるリペラー電極と検出部との間の距離が２０ｃｍ以下である、飛行時間型質量分析装置を提供する。
【０００７】
本発明の飛行時間型質量分析装置は、フェムト秒レーザー光又はピコ秒レーザー光を発光する発光部と検出部で検出されたイオンの検出信号の時間間隔を計数する時間相関単一イオン計数部を備える。このため、ノイズを低減してＳ／Ｎ比を向上し、測定対象成分の検出下限を低減することができる。一方、時間相関単一イオン計数部を用いた場合、測定のダイナミックレンジ（測定可能な濃度範囲）を広くするためには、イオンの飛行時間データの積算回数を増やす必要がある。ここで、飛行時間データの積算回数を増やすと、質量分析に所要する時間が長くなる傾向にある。
【０００８】
そこで、本発明の飛行時間型質量分析装置は、フェムト秒レーザー光又はピコ秒レーザー光を試料に照射する発光部を備えている。発光部におけるフェムト秒レーザー光又はピコ秒レーザー光のパルスの繰り返し速度を高くすることによって、飛行時間の積算回数を容易に増やして測定のダイナミックレンジを広くすることができる。時間相関単一イオン計数部は高速データ処理が可能であることから、パルスの繰り返し速度を速くしても飛行時間データを積算することができる。また、フェムト秒レーザー光又はピコ秒レーザー光を照射する発光部と時間相関単一イオン計数部を有するため、質量分解能を向上することができる。
【０００９】
さらに、上記飛行領域において上流側に設けられるリペラー電極と検出部との間の距離は２０ｃｍ以下である。したがって、飛行時間型質量分析装置の小型化を図ることができる。これによって、飛行時間型質量分析装置の設置スペースを低減し、持ち運びや装置の操作も容易にすることができる。通常、飛行領域が短くなると質量分解能が低下する傾向にある。しかしながら、本発明の飛行時間型質量分析装置は、時間相関単一イオン計数部を備えることから、飛行領域が短くても質量分解能を高く維持することができる。さらに、飛行領域におけるイオンと残留ガスとの衝突を低減することができるため、排気容量が小さく安価な排気装置を用いることができる。また、飛行時間をより短縮できるので分子量が大きな有機分子が測定対象成分に含まれていてもよい。
【００１０】
上記発光部として、ファイバーレーザーを用いることが好ましい。高い繰り返し速度を有するファイバーレーザーは、１パルス当たりのエネルギーを小さくしてスペースチャージ効果を低減しつつ積算回数を大きくすることができる。このため、質量分解能を向上しつつダイナミックレンジを十分に広くすることができる。また、低コストであるうえに信頼性にも優れる。
【００１１】
上記飛行領域におけるイオンの飛行時間は３０μｓ以下であることが好ましい。飛行時間を短くすることによって、繰り返し速度が高い高出力のファイバーレーザーを利用することができる。また、信号の積算回数を大きくしてダイナミックレンジを広くすることができる。したがって、分析の感度を高めるとともに測定時間を短くすることができる。
【００１２】
フェムト秒レーザー光又はピコ秒レーザー光の１パルス当たりのエネルギーは１００μＪ以下であることが好ましい。これによって、スペースチャージ効果を低減するとともに検出ピークの飽和を抑制することができる。したがって、質量分解能を一層向上しつつダイナミックレンジを広くすることができる。
【００１３】
上記イオン化領域に測定対象成分を導入する部分にはキャピラリーを用いることが好ましい。これによって、イオン化領域の上流側にガスクロマトグラフを設ける場合に、死容積が無視できるようになり、ガスクロマトグラフの分解能の低下を抑制することができる。
【００１４】
本発明の飛行時間型質量分析装置は、イオン化領域の上流側にガスクロマトグラフを備えることが好ましい。これによって、複数の成分を含有する試料であっても、区別して分析することができる。ガスクロマトグラフで分離した各成分の質量分析を行うためには、短時間で質量分析を行う必要がある。本発明の飛行時間型質量分析装置は、フェムト秒レーザー光又はピコ秒レーザー光を照射する発光部と時間相関単一イオン計数部とを備えることから、フェムト秒レーザー光又はピコ秒レーザー光のパルスの繰り返し速度を高くすることによって、短時間で質量分析を行うことができる。
【００１５】
本発明は、別の側面において、飛行時間型質量分析装置を用いる質量分析方法であって、測定対象成分にフェムト秒レーザー光又はピコ秒レーザー光を照射して測定対象成分をイオン化する工程と、飛行領域を飛行したイオンを検出部で検出する工程と、時間相関単一イオン計数法を用い、フェムト秒レーザー光又はピコ秒レーザー光と検出部で検出されたイオンの検出信号との時間間隔を計測する工程と、を有し、飛行領域の上流側に設けられるリペラー電極と検出部との間の距離が２０ｃｍ以下である、質量分析方法を提供する。
【００１６】
本発明の質量分析方法は、時間相関単一イオン計数法を用い、イオンを計数する工程を有する。このため、ノイズを低減してＳ／Ｎ比を向上し、測定対象成分の検出下限を低減することができる。
【００１７】
また、この質量分析方法では、フェムト秒レーザー光又はピコ秒レーザー光を試料に照射してイオンを生じさせている。繰り返し速度が高いフェムト秒レーザー光又はピコ秒レーザー光を用いることによって、イオンの飛行時間データの積算回数を増やすことができる。時間相関単一イオン計数部は高速データ処理が可能であることから、パルスの繰り返し速度を高くしても飛行時間データを積算することができる。すなわち、本発明の分析方法は、繰り返し速度が高い高出力のフェムト秒レーザー光又はピコ秒レーザー光を用いるとともに、時間相関単一イオン計数法を採用することによって、分析感度と質量分解能を向上し、ダイナミックレンジを広くすることができる。
【００１８】
さらに、上記質量分析方法に用いられる飛行時間型質量分析装置は、飛行領域の上流側に設けられるリペラー電極と検出部との間の距離が２０ｃｍ以下である。したがって、飛行時間型質量分析装置の小型化を図ることができる。これによって、飛行時間型質量分析装置の設置スペースを低減し、持ち運びや装置の操作も容易にすることができる。通常、飛行領域が短くなると質量分解能が低下する傾向にある。しかしながら、本発明では、時間相関単一イオン計数法を用いていることから、上記距離が短くても質量分解能を高く維持することができる。さらに、飛行領域におけるイオンと残留ガスとの衝突を低減することができるため、排気容量が小さく安価な排気装置を用いることができる。また、飛行時間をより短縮できるので分子量が大きな有機分子が測定対象成分に含まれていてもよい。
【発明の効果】
【００１９】
本開示によれば、小型化が可能であるとともに、測定のダイナミックレンジが広く、高感度で、且つ質量分解能に優れる飛行時間型質量分析装置を提供することができる。また、測定のダイナミックレンジが広く、且つ質量分解能に優れる質量分析方法を提供することができる。
【図面の簡単な説明】
【００２０】
【図１】図１は、飛行時間型質量分析装置の一実施形態の概要を示す図である。
【図２】図２は、飛行時間型質量分析装置における本体部の内部構造を説明するための図である。
【図３】図３は、レーザー光のパルスの間隔と飛行時間の関係の例を示す図である。
【図４】図４（Ａ）は、実施例１の質量スペクトルを示す図である。図４（Ｂ）は実施例１で測定した試料に含まれるピネンの吸収スペクトルの理論計算の結果である。
【図５】図５は、実施例２の質量スペクトルを示す図である。
【図６】図６は、ピネンの濃度とピネンに相当するピークの計数確率との関係を示すグラフである。
【図７】図７（Ａ）は、実施例４の質量スペクトルを示す図である。図７（Ｂ）は実施例４で測定した試料に含まれるオイゲノールの吸収スペクトルの理論計算の結果である。
【発明を実施するための形態】
【００２１】
以下、場合により図面を参照して、本開示の一実施形態について説明する。ただし、以下の実施形態は、本発明を説明するための例示であり、本発明を以下の内容に限定する趣旨ではない。説明において、同一要素又は同一機能を有する要素には同一符号を用い、場合により重複する説明は省略する。なお、各要素の寸法比率は図示の比率に限られるものではない。
【００２２】
図１は、飛行時間型質量分析装置の一実施形態の概要を示す図である。飛行時間型質量分析装置１００は、フェムト秒レーザー光又はピコ秒レーザー光を発光する発光部１０と、フェムト秒レーザー光又はピコ秒レーザー光で測定対象成分をイオン化するイオン化領域、及び、イオン化領域で発生したイオンが飛行する飛行領域を有する本体部２０と、イオンを計数する時間相関単一イオン計数部３３及びマルチチャンネルアナライザ３４を有する信号処理部３０と、信号処理部３０で得られたデータ（質量スペクトル）を表示する表示部５０を備える。
【００２３】
発光部１０は、試料のイオン化光源として用いられるフェムト秒レーザー光又はピコ秒レーザー光を発光するものを適宜用いることができる。発光部１０として、例えば、チタンサファイアレーザーを用いてもよいし、ファイバーレーザーを用いてもよい。これらのうち、ファイバーレーザーを用いることが好ましい。ファイバーレーザーは、高い繰り返し速度を有するため、１パルス当たりのエネルギーを小さくしてスペースチャージ効果を低減しつつ飛行時間データの積算回数を大きくしてダイナミックレンジを十分に広くすることができる。このため、質量分解能を一層向上するとともに、分析値の精度を高くすることができる。また、ファイバーレーザーは、信頼性にも優れつつ、コストを低減することもできる。ファイバーレーザーは、Ｙｂ（イッテルビウム）ファイバーレーザーであってもよいし、Ｅｒ（エルビウム）ファイバーレーザーであってもよい。これらのうち、平均出力を一層高くする観点から、Ｙｂファイバーレーザーが好ましい。
【００２４】
フェムト秒レーザー光のパルス幅の上限は、分析感度向上の観点から、好ましくは７００ｆｓであり、より好ましくは１００ｆｓである。フェムト秒レーザー光のパルス幅の下限は、例えば１ｆｓである。ピコ秒レーザー光のパルス幅の上限は、同様の観点から、好ましくは７００ｐｓであり、より好ましくは１００ｐｓである。ピコ秒レーザー光のパルス幅の下限は、例えば１ｐｓである。分析感度を十分に向上する観点から、発光部１０は、フェムト秒レーザー光を発光するものであることが好ましい。
【００２５】
フェムト秒レーザー光又はピコ秒レーザー光の１パルス当たりのエネルギーは、スペースチャージ効果を低減するとともに検出ピークの飽和を抑制する観点から、好ましくは１００μＪ以下であり、より好ましくは６０μＪ以下であり、さらに好ましくは４０μＪ以下である。エネルギーの大きさは、発光部１０と本体部２０の間にエネルギー調節部を設けて調節してもよい。エネルギー調節部としては、公知のフィルタを用いることができる。
【００２６】
高い精度で定量分析を行うためには、時間相関単一イオン計数部３３で、フェムト秒レーザー光又はピコ秒レーザー光のパルスの繰り返し速度に対するイオンの計数速度の比を１／１０以下にすることが好ましい。この比が１／１０を超えると、イオン数と検出ピークの強度との比例関係が成立し難くなり、定量分析の精度が低下する場合がある。このような観点からも、フェムト秒レーザー光又はピコ秒レーザー光のパルスの繰り返し速度は大きい方が好ましい。
【００２７】
発光部１０から照射されるフェムト秒レーザー光又はピコ秒レーザー光のパルスの繰り返し周波数は、好ましくは４０ｋＨｚ以上であり、より好ましくは１００ｋＨｚ以上である。フェムト秒レーザー光又はピコ秒レーザー光のパルスの繰り返し周波数を大きくすること、すなわちパルスの繰り返し速度を高くすることによって、より多くの試料分子をイオン化して分析感度を高くすることができる。また、イオンの計数速度を上げることが可能になるため、飛行時間データの積算時間を短くすることができる。したがって、ガスクロマトグラフと組み合わせて、混合物を分析する上で有利である。ガスクロマトグラフは通常の市販品を、本体部２０の上流側にある試料の導入部２１に接続することができる。
【００２８】
フェムト秒レーザー光又はピコ秒レーザー光のパルスの繰り返し周波数を大きくしつつ、１パルス当たりのエネルギーを小さくすることによって、信号の飽和を抑制しつつダイナミックレンジを広くすることができる。
【００２９】
フェムト秒レーザー光又はピコ秒レーザー光の波長は、測定対象成分の種類に応じて調節してもよい。発光部１０は、波長を例えば紫外域又は近赤外域に調節するための波長調節部を有していてもよい。波長調節部は非線形光学結晶の一種であるベータ型ほう酸バリウム等で構成される公知のものを用いることができる。フェムト秒レーザー光又はピコ秒レーザー光の波長が測定対象成分の吸収バンド内に含まれていれば、一層高い感度で試料の濃度を測定することができる。
【００３０】
本実施形態ではフェムト秒レーザー光又はピコ秒レーザー光を用いているので、測定対象成分に照射されるフェムト秒レーザー光又はピコ秒レーザー光の波長が、測定対象成分の吸収バンド内に含まれていなくてもよい。このような場合であっても、フェムト秒レーザー光又はピコ秒レーザー光を用いることによって、電子が基底状態から一旦仮想的なエネルギー準位に励起され、その後イオン化する現象が高い頻度で発生する。このように非共鳴の場合であっても、分子を効率よくイオン化することができるため、例えば測定対象成分が未知のものであっても、高感度に測定を行うことができる。
【００３１】
発光部１０からのフェムト秒レーザー光又はピコ秒レーザー光（レーザー光１２）は、反射板１３で進行方向が調節された後、本体部２０に導入される。本体部２０には、導入部２１から測定対象成分が導入される。測定対象成分は、不活性ガス等で希釈されていてもよい。測定対象成分が導入される部分である導入部２１はキャピラリーを有する。これによって、導入部２１の上流側にガスクロマトグラフを容易に接続することができる。
【００３２】
図２は、本体部２０の内部構造を説明するための図である。本体部２０は、試料をレーザー光１２でイオン化するイオン化領域２４と、イオン化領域２４で発生したイオンが飛行する飛行領域２７と、飛行領域２７を飛行したイオンを検出する検出部２８を備える。
【００３３】
本体部２０は、イオンを加速するための電圧を印加するリペラー電極２２と、グランドとして機能する一対のグリッド電極２６ａ，２６ｂを有する。イオン化領域２４は、リペラー電極２２とグリッド電極２６ａとで区画される。イオン化領域２４には、図１の導入部２１からイオン化領域２４に測定対象成分を含有する試料が導入される。試料は例えば窒素やヘリウム等の不活性ガスと測定対象成分を含むガスである。測定対象成分は、例えば有機化合物である。測定対象成分は、イオン化領域２４においてレーザー光１２に照射され、イオン化する。生成したイオンは、リペラー電極２２とグリッド電極２６ａ間の電位差によって加速され、検出部２８に向かって飛行する。
【００３４】
リペラー電極２２とグリッド電極２６ａ間の電位差は、イオン化領域２４でイオンを加速して飛行領域２７を飛行するイオンの飛行時間を短くする観点から大きい方が好ましい。当該電位差は、好ましくは３ｋＶ以上であり、より好ましくは１０ｋＶ以上であり、さらに好ましくは２０ｋＶ以上である。
【００３５】
一方のグリッド電極２６ａは、飛行領域２７の上流側に設けられ、他方のグリッド電極２６ｂは飛行領域２７の下流側に設けられる。このようにして対向配置される一対のグリッド電極２６ａ，２６ｂは、飛行領域２７を区画している。イオン化領域２４で発生したイオンは、イオン化領域２４で加速された後、グリッド電極２６ａを通過して飛行領域２７を検出部２８に向かって飛行する。飛行領域２７を飛行したイオンは、グリッド電極２６ｂを通過して検出部２８に到達する。
【００３６】
リペラー電極２２と検出部２８の間の距離Ｌは２０ｃｍ以下であり、レーザー光のパルス毎に発生するイオン信号の重なりを避ける観点から、好ましくは１５ｃｍ以下であり、より好ましくは１０ｃｍ以下であり、さらに好ましくは８ｃｍ以下である。このように小型化すれば、飛行時間型質量分析装置１００の設置スペースを一層低減しつつ持ち運びも一層容易にすることができる。例えばハンディータイプのモニターや腕時計サイズのセンサーとして用いることもできる。
【００３７】
一対のグリッド電極２６ａ，２６ｂで区画される飛行領域２７を飛行するイオンの飛行時間は好ましくは３０μｓ以下であり、より好ましくは１０μｓ以下であり、さらに好ましくは４μｓ以下である。このように飛行時間を短くすることによって、繰返し速度が高い高出力のレーザーを用いることができる。また、飛行時間データの積算回数を大きくすることができるので、質量分析に所要する時間を短くすることができる。
【００３８】
リペラー電極２２とグリッド電極２６ａとの間に、イオンの二段加速を行うため、任意の電極を備えていてもよい。このような電極を備えることによって、イオン化位置の相違によるイオンの検出タイミングの違いを低減し、質量分解能を向上することができる。
【００３９】
図３は、レーザー光のパルスの繰り返し周波数と、飛行領域２７におけるイオン飛行時間の関係の例を模式的に示す図である。図３（Ａ）、図３（Ｂ）及び図３（Ｃ）は、それぞれ、レーザー光のパルスＰの周波数（繰り返し速度）が１ｋＨｚ、１００ｋＨｚ及び１ＭＨｚの場合を示している。図３（Ａ）、図３（Ｂ）及び図３（Ｃ）において、横軸は時間を示し、縦線はパルスＰの照射タイミングを示している。図３（Ａ）、図３（Ｂ）及び図３（Ｃ）におけるパルスＰの間隔は、それぞれ、１ｍｓ（１ミリ秒）、１０μｓ（１０マイクロ秒）及び１μｓ（１マイクロ秒）である。
【００４０】
パルスＰの間隔よりも飛行時間ＦＴが長くなると、質量スペクトルが重なるため、パルスＰの間隔に応じて飛行時間ＦＴを調節し、パルスＰの間隔よりも飛行時間ＦＴを十分に短くすることが好ましい。パルスＰの間隔に対する飛行時間ＦＴの比は、好ましくは０．８以下であり、より好ましくは０．２以下である。
【００４１】
図１に戻り、検出部２８にイオンが到達すると、検出部２８はパルス信号を出力する。このパルス信号は、ストップ信号２９として図１に示す時間相関単一イオン計数部３３に入力される。信号処理部３０は、時間相関単一イオン計数部３３とマルチチャンネルアナライザ３４とを有する。信号処理部３０は、時間相関単一イオン計数部３３に、スタート信号１５とストップ信号２９が入力されるように構成される。
【００４２】
時間相関単一イオン計数部３３は、ストップ信号２９を増幅する増幅器、時間分解能を向上するためコンスタントフラクションディスクリミネーター（ＣＦＤ）、及び時間電圧変換器（ＴＡＣ）等を備えていてもよい。時間電圧変換器（ＴＡＣ）は、時間分解能が高く低コストである点で有用である。時間相関単一イオン計数部３３はこのような構成に限定されず、時間電圧変換器（ＴＡＣ）に代えて、パルスの時間間隔を直接測定するタイムデジタルコンバーター（ＴＤＣ）を備えていてもよい。
【００４３】
時間相関単一イオン計数部３３は、スタート信号１５とストップ信号２９との時間間隔からイオンの飛行時間を計測する。計測された飛行時間は、デジタル信号として、マルチチャンネルアナライザ３４において積算され、飛行時間のヒストグラムが作成される。このヒストグラムに基づいて質量スペクトルを得ることができる。質量スペクトルは、マルチチャンネルアナライザ３４に接続されるパーソナルコンピュータ等の表示部５０において表示される。
【００４４】
時間相関単一イオン計数部３３は、発光部１０からのレーザー光をスタート信号１５とし、検出部２８からの検出信号をストップ信号２９として求められる飛行時間をデジタル信号として積算するように構成される。飛行時間の計測を例えば１〜１００万回繰り返し行って飛行時間を積算し、飛行時間のヒストグラムを作成する。このヒストグラムに基づいて質量スペクトルを得ることができる。時間相関単一イオン計数部３３は、ノイズを積算することなく飛行時間のみを積算するため、Ｓ／Ｎ比を大きくすることができる。なお、検出部２８のアナログ信号をデジタル信号に変換することなく積算して計測してもよいが、時間分解能の向上及びノイズを低減する観点から、デジタル信号として積算することが好ましい。
【００４５】
時間相関単一イオン計数部３３としては、市販されている時間相関単一光子計数装置を用いることができる。そのような装置としては、例えば、株式会社堀場製作所製の高速蛍光寿命測定装置（ＦｌｕｏｒｏＣｕｂｅ）等が挙げられる。
【００４６】
飛行時間型質量分析装置１００は、レーザー光と検出部２８で検出されたイオンの検出信号との時間間隔を測定する時間相関単一イオン計数部３３を備える。このため、ノイズを低減してＳ／Ｎ比を向上し、試料における測定対象成分の検出下限を低減することができる。
【００４７】
飛行時間型質量分析装置１００は、レーザー光を試料に照射する発光部１０を備えている。フェムト秒レーザー光又はピコ秒レーザー光はパルス幅が小さく、且つ繰り返し速度を高くすることが可能であるため、時間分解能を高め、飛行時間の積算回数を増やすことができる。時間相関単一イオン計数部３３は高速データ処理が可能であることから、レーザー光のパルスの繰り返し速度を早くしても信号の数え落としがなく飛行時間を積算することができる。すなわち、飛行時間型質量分析装置１００は、フェムト秒レーザー光又はピコ秒レーザー光を照射する発光部１０と時間相関単一イオン計数部３３を備えるため、質量分解能と分析感度の両方に優れる。
【００４８】
本実施形態の飛行時間型質量分析装置は、分子量が例えば１００以上の有機化合物の分析に極めて有効である。有機化合物の濃度が低い場合であっても、高い精度で分析することができる。例えば、ダイオキシンのような毒物、並びに、多塩素化ビフェニル、農薬、及びニトロ芳香族化合物のような発がん物質の微量分析に有用である。
【００４９】
以上、本発明の飛行時間型質量分析装置の実施形態を説明したが、本発明は上述の実施形態に限定されない。例えば、飛行時間型質量分析装置は、本体部２０の上流側にガスクロマトグラフを備えていてもよい。ガスクロマトグラフで分離された成分を導入部２１から本体部２０に導入することによって、測定対象成分以外の成分を含有する試料、又は測定対象成分を複数含有する試料であっても、これらを区別して分析することができる。また、信号処理部３０は、時間相関単一イオン計数部３３とマルチチャンネルアナライザ３４が別々のハード構成ではなく一体となっていてもよい。さらに、信号処理部３０が表示部５０を備えていてもよい。
【００５０】
本発明の質量分析方法の一実施形態は、上述の飛行時間型質量分析装置１００を用いる。本実施形態の質量分析方法は、イオン化領域２４において測定対象成分に発光部１０からのレーザー光１２を照射してイオンを生じさせるレーザー照射工程と、飛行領域２７を飛行したイオンを検出部２８で検出する検出工程と、レーザー光と検出部２８で検出されたイオンの検出信号とを、それぞれスタート信号１５及びストップ信号２９とする時間相関単一イオン計数法によって、イオンの飛行時間を計測するデータ処理工程を有する。各工程は、上述の飛行時間型質量分析装置１００の説明内容に基づいて行うことができる。時間相関単一イオン計数法によるイオンの飛行時間の計測は、時間相関単一イオン計数部３３において行うことができる。
【００５１】
上記質量分析方法は、ガスクロマトグラフにおいて試料を複数に分離する分離工程を有していてもよい。この場合、レーザー照射工程では、分離された一つ以上の測定対象成分にレーザー光を照射してイオンを生じさせることができる。したがって、複数の成分を含有する試料であっても、これらを区別して分析をすることができる。
【００５２】
本発明の質量分析方法は上述の実施形態に限定されない。飛行時間型質量分析装置１００とは装置構成が異なる飛行時間型質量分析装置を用いて上述の質量分析方法を行ってもよい。例えば、時間相関単一イオン計数部３３とマルチチャンネルアナライザ３４が別々のハード構成ではなく一体となった信号処理部を有する飛行時間型質量分析装置を用いて行ってもよい。
【実施例】
【００５３】
実施例を参照して本発明の内容をより詳細に説明するが、本発明は下記の実施例に限定されるものではない。
【００５４】
（実施例１）
図１及び図２と同じ構成を有する飛行時間型質量分析装置を用いて、下記式で表される、アレルギー物質であるピネン（分子量＝１３６）の分析を行った。まず、測定対象成分であるピネンを含む試料（サンプル瓶に入れたピネンを蒸発させて窒素ガスにて希釈した試料）を準備した。
【００５５】
【化１】
2019096480.tif 000003
【００５６】
ここで用いた飛行時間型質量分析装置の本体部２０におけるリペラー電極２２と検出部２８との間の距離Ｌは約４２ｃｍであった。また、リペラー電極２２とグリッド電極２６ａ間の電位差は１７８０Ｖとした。チタンサファイアレーザーからのフェムト秒レーザー光を、波長変換部において２６７ｎｍの波長に変えた後、イオン化領域２４において試料に照射した。照射したフェムト秒レーザー光のパルス幅は１００ｆｓ、繰り返し速度は１ｋＨｚ、１パルス当たりのエネルギーは０．１４２μＪとした。飛行時間データの積算時間は２０５秒とした。得られた質量スペクトルは図４（Ａ）に示すとおりであった。
【００５７】
図４（Ｂ）は、ピネンの吸収スペクトルの理論計算の結果を示す図である。図４（Ｂ）から、測定に用いたフェムト秒レーザー光の波長（２６７ｎｍ）付近にはピネンの吸収バンドがないことが分かる。このように、フェムト秒レーザー光の波長が吸収バンド内に含まれていないにもかかわらず、図４（Ａ）に示すとおり、フェムト秒レーザー光の１パルス当たりのエネルギーが低くても、十分にピネンが測定できることが確認された。
【００５８】
（実施例２）
ピネンの濃度が異なる試料（窒素ガスにてピネンを約６．４体積ｐｐｍに調整した試料）を用いたこと、及び、照射したフェムト秒レーザー光の１パルス当たりのエネルギーを２．６μＪとしたこと、同一サイズの異なる質量分析装置を用いたこと、リペラー電極２２とグリッド電極２６ａ間の電位差を１９８０Ｖとしたこと、及び飛行時間データの積算時間を６００秒とした以外は、実施例１と同様にして質量分析を行った。得られた質量スペクトルは図５に示すとおりであった。
【００５９】
図５に示すとおり、ｐｐｍオーダーの成分も測定できることが確認された。なお、質量スペクトルで検出されているフェノール及びヘキサンは、試料の調整に用いたプラスチック製サンプリングバッグに含まれていた不純物に由来するものと考えられる。図５のグラフの縦軸（Ｃｏｕｎｔｓ）は測定したイオンの数である。イオンの計数確率は、以下の計算式で求められる。レーザー光の１パルス当たりのエネルギーが高くなると計数確率が高くなり信号が飽和する傾向にあるが、本実施例では計数確率が０．１よりも十分に小さく、信号強度を正確に測定することができた。
計数確率＝測定したイオンの数［回］／（計測時間［秒］×レーザー光の繰り返し周波数［Ｈｚ］）
【００６０】
（実施例３）
ピネンの濃度を１．７〜６．４体積ｐｐｍの範囲内で変えた試料を複数調製し、実施例２と同様にして質量分析を行った。得られた分析結果を、図６にプロットした。図６は、ピネンの濃度とピネンに相当するピークの計数確率との関係を示すグラフである。図６に示すとおり、両者に高い相関関係が認められた。この結果から、ｐｐｍオーダーでも十分に高い精度で定量分析ができることが確認された。各試料の質量分析で得られた質量スペクトルのノイズの高さから検出下限を求めた。すなわち、Ｓ／Ｎ比が３となるピネンの濃度を求めた。この結果、ピネンの検出下限は０．３６体積ｐｐｍであった。このことから、検出下限は十分に低く、分析感度に優れることが確認された。
【００６１】
（実施例４）
下記式で表される、アレルギー物質であるオイゲノール（分子量＝１６４）を含む試料（窒素ガスにてオイゲノールを３０体積ｐｐｔに調整した試料）を用いたこと、リペラー電極２２と検出部２８との間の距離Ｌが約６．４ｃｍである本体部２０を備える飛行時間型質量分析装置を用いたこと、フェムト秒レーザー光の１パルス当たりのエネルギーを３４μＪとしたこと、及び積算時間を１５００秒としたこと以外は、実施例１と同様にして質量分析を行った。得られた質量スペクトルは図７（Ａ）に示すとおりであった。
【００６２】
【化２】
2019096480.tif 000004
【００６３】
図７（Ｂ）は、オイゲノールの吸収スペクトルを理論計算により求めた結果である。図７（Ｂ）に示すとおり、測定に用いたフェムト秒レーザー光の波長（２６７ｎｍ）は、オイゲノールの吸収バンド内に含まれている。
【００６４】
図７（Ａ）の質量スペクトルに基づいて、検出下限、すなわちＳ／Ｎ比が３となるオイゲノールの濃度を求めたところ、１．２ｐｐｔであった。このように、検出下限は十分に低く、分析感度に十分に優れることが確認された。
【産業上の利用可能性】
【００６５】
本開示によれば、小型化が可能であるとともに、測定のダイナミックレンジが広く、且つ質量分解能に優れる飛行時間型質量分析装置を提供することができる。また、測定のダイナミックレンジが広く、且つ質量分解能に優れる分析方法を提供することができる。
【符号の説明】
【００６６】
１０…発光部、１２…レーザー光、１３…反射板、１５…スタート信号、２０…本体部、２１…導入部、２２…リペラー電極、２４…イオン化領域、２６ａ，２６ｂ…グリッド電極、２７…飛行領域、２８…検出部、２９…ストップ信号、３０…信号処理部、３３…時間相関単一イオン計数部、３４…マルチチャンネルアナライザ、５０…表示部。
【図１】
2019096480.tif 000005
【図２】
2019096480.tif 000006
【図３】
2019096480.tif 000007
【図４】
2019096480.tif 000008
【図５】
2019096480.tif 000009
【図６】
2019096480.tif 000010
【図７】
2019096480.tif 000011